(57)【要約】【課題】  容器内に転動自在に収容した包装フィルムロールが回転不良となったり、過剰回転したり、逆回転することを防止して、フィルムロールの一端を容器外へ任意の長さだけ引き出して切断することを可能ならしめた包装フィルムロール用容器を提供する。【解決手段】  中空円筒状の芯体３と、芯体外周にロール状に巻かれたラップフィルム４と、を備えた包装フィルムロール２を収容する容器１であって、容器は、一側面に開放部１２を有した箱体本体１１、及び開放部の一端縁に開閉自在に支持された蓋体１３を備えた箱体１０と、箱体本体の両端面１１ａに配置されて収容した包装フィルムロールの両端開口部内に遊嵌して包装用フィルムロールを回転自在に支持する小径の軸部材１５と、を備え、軸部材の高さ位置は、支持した包装フィルムロールを箱体本体内底面から浮上させるように設定されている。【選択図】  図１
2005280716.tif 000002
【特許請求の範囲】
【請求項１】
中空円筒状の芯体と、芯体外周にロール状に巻かれたラップフィルムと、を備えた包装フィルムロールを収容する容器であって、
前記容器は、一側面に開放部を有した箱体本体、及び該開放部の一端縁に開閉自在に支持された蓋体を備えた箱体と、該箱体本体の両端面に配置されて収容した包装フィルムロールの両端開口部内に遊嵌して包装用フィルムロールを回転自在に支持する小径の軸部材と、を備え、
前記軸部材の高さ位置は、支持した包装フィルムロールを箱体本体内底面から浮上させるように設定されていることを特徴とする包装フィルムロール用容器。
【請求項２】
前記軸部材は、前記箱体本体の両端面のうちの少なくとも一方に対して着脱自在に装着されることを特徴とする請求項１に記載の包装フィルムロール用容器。
【請求項３】
前記軸部材は、箱体本体の両端面の一部を内側へ突出させることによって形成されていることを特徴とする請求項１に記載の包装フィルムロール用容器。
【発明の詳細な説明】
【技術分野】
【０００１】
本発明は、食品や各種物品を包装するために使用される包装フィルムロールを収容する容器の改良に関し、特にフィルムロールから巻きほどいたフィルムの一端を容器外へ所要長引き出して切断する作業を容易化することができる包装フィルムロール用容器に関する。
【背景技術】
【０００２】
包装フィルムロールは、直方体状の箱体内に収容された状態で販売されており、使用に際しては箱体の一側面に設けた開放部からフィルムロールの一端を手で所要長だけ引き出してから、箱体に設けたカッタによって切断する。フィルムロールの一端を引き出すに際しては、フィルムロール本体が箱体内で回転することができるように、箱体の寸法、内壁の材質等を工夫している（例えば、特開平０５−２２９５５３号公報）。
しかし、フィルムロールは、箱体の内底面に着座した状態で収容されており、芯体外周面に対するフィルムの巻き厚が十分に厚い状態においては箱体内で回転しにくいため、上手に引き出せず、無理に引き出すとシワや斜行が発生したり、切断不良が発生して、その部分を廃棄せざるを得ないという無駄が生じることがあった。また、フィルムロールの残量が少なくなった場合には箱内で過剰回転して過剰に送り出したり、逆に巻き戻りして所望長を引き出せなくなったり、フィルム先端がフィルムロール本体に吸着する等の引き出し不良が発生し易かった。
このような不具合を解決するために、特開２００２−３２６６２８公報には、戻り防止部材を設けているが、戻り防止部材を収容する分だけ箱が大型化する、シワや斜行や切断不良を防止できない、過剰送りを防止できないという欠点があった。
また、旭化成社の製品であるサランラップ（登録商標）の箱体には、長手方向両端面に設けた突起によってフィルムロールが箱外に飛び出すことがないようにした構成を備えた物があるが、この突起はあくまで飛び出し防止手段であり、フィルムロールの回転をスムーズ化する等の機能はなく、上記不具合を解決することはできない。
【特許文献１】特開平０５−２２９５５３号公報
【特許文献２】特開２００２−３２６６２８公報
【発明の開示】
【発明が解決しようとする課題】
【０００３】
本発明は上記に鑑みてなされたものであり、容器内に転動自在に収容した包装フィルムロールが回転不良となったり、過剰回転したり、逆回転することを防止して、フィルムロールの一端を容器外へ任意の長さだけ引き出して切断することを可能ならしめた包装フィルムロール用容器を提供することを目的としている。
【課題を解決するための手段】
【０００４】
以上のように、請求項１に記載の発明は、中空円筒状の芯体と、芯体外周にロール状に巻かれたラップフィルムと、を備えた包装フィルムロールを収容する容器であって、前記容器は、一側面に開放部を有した箱体本体、及び該開放部の一端縁に開閉自在に支持された蓋体を備えた箱体と、該箱体本体の両端面に配置されて収容した包装フィルムロールの両端開口部内に遊嵌して包装用フィルムロールを回転自在に支持する小径の軸部材と、を備え、前記軸部材の高さ位置は、支持した包装フィルムロールを箱体本体内底面から浮上させるように設定されていることを特徴とする。
請求項２の発明は、請求項１において、前記軸部材は、前記箱体本体の両端面のうちの少なくとも一方に対して着脱自在に装着されることを特徴とする。
請求項３の発明は、請求項１において、前記軸部材は、箱体本体の両端面の一部を内側へ突出させることによって形成されていることを特徴とする。
【発明の効果】
【０００５】
請求項１に記載の発明によれば、容器の長手方向両端面に設けた突起としての軸部材によって包装フィルムロールを回転自在に吊り上げた状態で支持するようにしたので、包装フィルムロールが回転不良となったり、過剰回転したり、逆回転することを防止して、フィルムロールの一端を容器外へ任意の長さだけ引き出して切断することが可能となる。また、使用中にフィルムロールが箱体外へ転がり出ることを防止できる。
請求項２の発明によれば、軸部材を着脱自在に構成したので、使用者が軸部材の使用を不要と考える場合には、これを取り外して箱体本体内底面にフィルムロールを着座させた状態で使用することもできる。また、箱体内にフィルムロールを出入れする際に軸部材を外すことにより出入れが容易となる。
請求項３の発明によれば、別部材としての軸部材を使用する必要がないので、部品点数を低減して、コストダウンを図ることができる。  
【発明を実施するための最良の形態】
【０００６】
以下、本発明を図面に示した実施の形態により詳細に説明する。
図１（ａ）（ｂ）（ｃ）及び（ｄ）は本発明の一実施形態に係る包装フィルムロール用容器の閉止状態の斜視図、開放状態の斜視図、要部断面図、及び軸部材が包装フィルムロールを支持した状態を示す断面図である。
この包装フィルムロール用容器１は、厚紙等から成る中空円筒状の芯体３と、芯体３の外周にロール状に多数回重ねて巻き付けられたラップフィルム４と、を備えた包装フィルムロール２を収容する容器である。この容器１は、厚紙等から成り且つ四面のうちの一側面に開放部１２を有した箱体本体１１、及び開放部１２の一端縁に開閉自在に支持された蓋体１３を備えた箱体１０と、箱体本体１１の長手方向両端面１１ａに配置されて収容した包装フィルムロール２の両端開口部内に遊嵌して包装用フィルムロールを回転自在に支持する小径の軸部材１５と、を備えている。端面１１ａに取り付けられる軸部材１５の高さ位置は、軸部材１５が芯体３の両端開口内に差し込まれることによって包装フィルムロールを支持した時に、包装フィルムロール２の底部が箱体本体内底面から常時浮上（非接触）するように設定されている。しかも、軸部材１５の径は、芯体３の両端開口径よりも格段に小さいため、軸部材１５は包装フィルムロール２がスムーズに回転するように支持することができる。
従って、使用開始時のようにラップフィルム４の残量が多いためにフィルムロール２の重量及び径が大きい場合であっても、箱体本体１１の内底面との接触抵抗がないため、開放部１２からラップフィルム４の端部４ａを所定長引っ張ると、包装フィルムロール２は容易且つ安定して引き出し方向へ回転することができ、任意の長さだけ引き出し、蓋体１３の先端縁に設けたカッタ１４によって容易に切断することができる。この際、包装フィルムロール２の回転不良や逆転によってラップフィルムの引き出し部分のシワ、折れ、斜行によって引き出した部分が使用不能となる虞がなくなる。特に、ラップフィルムの残量が少なくなった場合であっても、過剰回転、逆転、シワ、折れ、斜行が有効に防止される。また、使用中にフィルムロールが箱体外へ転がり出ることを防止でき、使い勝手をよくすることができる。
軸部材１５は、例えば、樹脂、木材、紙等から構成し、厚紙等からなる容器の端面１１ａに対して予め固定しておいても良いし、或いは図２のように端面１１ａに設けた穴に対して外部から着脱したり、内外方向へ突出入自在に支持するようにしても良い。
【０００７】
軸部材を着脱自在に構成することにより、使用者が軸部材の使用を不要と考える場合には、これを取り外して箱体本体内底面にフィルムロールを着座させた状態で使用することもでき、便利である。また、箱体内にフィルムロールを出入れする際に軸部材を外すことにより出入れが容易となる。
更に、図３のように端面１１ａを構成する厚紙の一部を切り起こして突起としたものを軸部材１５として利用してもよい。これによれば、別部材としての軸部材を使用する必要がないので、部品点数を低減して、コストダウンを図ることができる。  
更に、箱体に対する軸部材の取付構造としては、図４に示したように箱体本体１１の端面１１ａに設けた切欠き１１ｂ内に、軸部材１５を備えたパーツ２０をスライド式に取り付けるようにしてもよい。パーツ２０は、着脱自在であっても良いし、切欠き１１ｂ内に固定してもよい。
【図面の簡単な説明】
【０００８】
【図１】（ａ）（ｂ）（ｃ）及び（ｄ）は本発明の一実施形態に係る包装フィルムロール用容器の閉止状態の斜視図、開放状態の斜視図、要部断面図、及び軸部材が包装フィルムロールを支持した状態を示す断面図。
【図２】本発明の変形実施形態に係る軸部材支持構造を示す断面図。
【図３】本発明の他の変形実施形態に係る軸部材支持構造を示す断面図。
【図４】本発明の他の変形実施形態に係る軸部材支持構造を示す要部斜視図。
【符号の説明】
【０００９】
１  包装フィルムロール用容器、２  包装フィルムロール、３  芯体、４  ラップフィルム、１０  箱体、１１  箱体本体、１１ａ  端面、１２  開放部、１３  蓋体、１４  カッタ、１５  軸部材。
【図１】
2005280716.tif 000003
【図２】
2005280716.tif 000004
【図３】
2005280716.tif 000005
【図４】
2005280716.tif 000006